(57)【要約】  第１のネットワーク・サービス・プリミティブを受け取るステップを備えるネットワーク間ハンドオーバーを容易にするための方法および装置を開示する。第１のネットワーク・サービス・プリミティブは次に第２のネットワーク・サービス・プリミティブにマッピングされる。
2009545237.tif 000002
【特許請求の範囲】
【請求項１】
ネットワーク間ハンドオーバーを容易にするための方法であって、
第１のネットワーク・サービス・プリミティブを受け取るステップと、
前記第１のネットワーク・サービス・プリミティブを第２のネットワーク・サービス・プリミティブにマッピングするステップと
を備えることを特徴とする方法。
【請求項２】
前記第１のネットワーク・サービス・プリミティブは、３ＧＰＰ（３ｒｄ  Ｇｅｎｅｒａｔｉｏｎ  Ｐａｒｔｎｅｒｓｈｉｐ  Ｐｒｏｊｅｃｔ：第三世代パートナーシップ・プロジェクト）サービス・プリミティブであり、前記第２のネットワーク・サービス・プリミティブは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．２１プリミティブであることを特徴とする請求項１に記載の方法。
【請求項３】
ＭＩＨ（Ｍｅｄｉａ  Ｉｎｄｅｐｅｎｄｅｎｔ  Ｈａｎｄｏｖｅｒ：媒体に独立なハンドオーバー）機能が前記３ＧＰＰサービス・プリミティブを前記ＩＥＥＥ８０２．２１プリミティブにマッピングすることを特徴とする請求項２に記載の方法。
【請求項４】
前記３ＧＰＰサービス・プリミティブは、ＲＲ（Ｒａｄｉｏ  Ｒｅｓｏｕｒｃｅ：無線資源）サービス・プリミティブ、ＭＭ（Ｍｏｂｉｌｉｔｙ  Ｍａｎａｇｅｍｅｎｔ：移動性管理）サービス・プリミティブ、ＳＭ（Ｓｅｓｓｉｏｎ  Ｍａｎａｇｅｍｅｎｔ：セッション管理）サービス・プリミティブ、ＬＴＥ（Ｌｏｎｇ  Ｔｅｒｍ  Ｅｖｏｌｕｔｉｏｎ：長期進化版）サービス・プリミティブ、ＳＡＥ（Ｓｙｓｔｅｍ  Ａｒｃｈｉｔｅｃｔｕｒｅ：システム・アーキテクチャー）サービス・プリミティブ、ＬＬＣ（Ｌｏｇｉｃａｌ  Ｌｉｎｋ  Ｃｏｎｔｒｏｌ：論理リンク制御）サービス・プリミティブ、ＡＳ（Ａｃｃｅｓｓ  Ｓｔｒａｔｕｍ：アクセス・ストレータム）サービス・プリミティブ、およびＮＡＳ（Ｎｏｎ  Ａｃｃｅｓｓ  Ｓｔｒａｔｕｍ：非アクセス・ストレータム）サービス・プリミティブ、の内の少なくとも１つを含むことを特徴とする請求項２に記載の方法。
【請求項５】
前記ＩＥＥＥ８０２．２１プリミティブをマッピングする際に、ＭＩＨ（Ｍｅｄｉａ  Ｉｎｄｅｐｅｎｄｅｎｔ  Ｈａｎｄｏｖｅｒ：媒体に独立なハンドオーバー）イベントをトリガーするステップをさらに備えることを特徴とする請求項２に記載の方法。
【請求項６】
前記第１のネットワーク・サービス・プリミティブは３ＧＰＰ２サービス・プリミティブであり、前記第２のネットワーク・サービス・プリミティブはＩＥＥＥ８０２．２１プリミティブであることを特徴とする請求項１に記載の方法。
【請求項７】
ＭＩＨ機能が、前記３ＧＰＰ２サービス・プリミティブを前記ＩＥＥＥ８０２．２１プリミティブにマッピングすることを特徴とする請求項６に記載の方法。
【請求項８】
前記第１のネットワーク・サービス・プリミティブはＩＥＥＥ８０２．２１プリミティブであり、前記第２のネットワーク・サービス・プリミティブは３ＧＰＰサービス・プリミティブであることを特徴とする請求項１に記載の方法。
【請求項９】
前記第１のネットワーク・サービス・プリミティブはＩＥＥＥ８０２．２１プリミティブであり、前記第２のネットワーク・サービス・プリミティブは３ＧＰＰ２サービス・プリミティブであることを特徴とする請求項１に記載の方法。
【請求項１０】
ＡＴコマンドが、前記マッピングするステップを実行するために使用されることを特徴とする請求項１に記載の方法。
【請求項１１】
ＭＩＨ機能が、前記第１のサービス・プリミティブを前記第２のネットワーク・サービス・プリミティブにマッピングすることを特徴とする請求項１に記載の方法。
【請求項１２】
ネットワーク間ハンドオーバーを容易にするように構成されるＷＴＲＵ（Ｗｉｒｅｌｅｓｓ  Ｔｒａｎｓｍｉｔ  Ｒｅｃｅｉｖｅ  Ｕｎｉｔ：無線送受信ユニット）であって、
受信機と、
送信機と、
前記受信機および前記送信機と通信状態にあるプロセッサーであって、第１のネットワーク・サービス・プリミティブを受け取り、かつ前記第１のネットワーク・サービス・プリミティブを第２のネットワーク・サービス・プリミティブにマッピングするように構成されるプロセッサーと
を備えることを特徴とするＷＴＲＵ。
【請求項１３】
ＭＩＨ機能が、前記第１のネットワーク・サービス・プリミティブを前記第２のネットワーク・サービス・プリミティブにマッピングすることを特徴とする請求項１２に記載のＷＴＲＵ。
【請求項１４】
前記プロセッサーは、ＭＩＨイベントをトリガーするようにさらに構成されることを特徴とする請求項１２に記載のＷＴＲＵ。
【請求項１５】
前記プロセッサー中に常駐しているＭＮＳ（Ｍｏｂｉｌｅ  Ｎｅｔｗｏｒｋ  Ｓｉｇｎａｌｉｎｇ：移動体ネットワーク信号方式）層をさらに備えることを特徴とする請求項１２に記載のＷＴＲＵ。
【請求項１６】
前記ＭＮＳ層は、ＡＴ−コマンド−３ＧＰＰ  ＩＷＦ（ＩｎｔｅｒＷｏｒｋｉｎｇ  Ｆｕｎｃｔｉｏｎ）、前記ＡＴ−コマンド−３ＧＰＰ  ＩＷＦと通信状態にあるＡＴ−コマンド・インターフェイス、ならびに前記ＡＴ−コマンド・インターフェイスおよびＭＩＨ−３ＧＬＩＮＫ−ＳＡＰ層と通信状態にあるＩＥＥＥ８０２．２１−ＡＴ  ＩＷＦを含むことを特徴とする請求項１４に記載のＷＴＲＵ。
【請求項１７】
前記ＡＴ−コマンド−３ＧＰＰ  ＩＷＦは、３ＧＰＰサービス・プリミティブを受け取り、かつ前記ＡＴ−コマンド・インターフェイスと通信するように構成されることを特徴とする請求項１６に記載のＷＴＲＵ。
【請求項１８】
前記ＡＴ−コマンド・インターフェイスは、ＡＴコマンドを生成し、それを前記８０２．２１−ＡＴ  ＩＷＦに通信するように構成されることを特徴とする請求項１７に記載のＷＴＲＵ。
【請求項１９】
前記８０２．２１−ＡＴ  ＩＷＦは、前記ＭＩＨ−３ＧＬＩＮＫ−ＳＡＰ層を通して、前記ＡＴコマンドを受け取り、かつ８０２．２１プリミティブを生成するように構成されることを特徴とする請求項１８に記載のＷＴＲＵ。
【請求項２０】
前記ＡＴ−コマンド・インターフェイスは、前記８０２．２１−ＡＴ  ＩＷＦからＡＴコマンドを受け取るように構成されることを特徴とする請求項１７に記載のＷＴＲＵ。
【請求項２１】
上位層信号方式／ＰＰＰ（Ｐｏｉｎｔ  ｔｏ  Ｐｏｉｎｔ  Ｐｒｏｔｏｃｏｌ：ポイント・ツー・ポイント・プロトコル）層をさらに備えることを特徴とする請求項１２に記載のＷＴＲＵ。
【請求項２２】
前記上位層信号方式／ＰＰＰ層は、ＡＴ−コマンド−３ＧＰＰ２  ＩＷＦ、前記ＡＴ−コマンド−３ＧＰＰ２  ＩＷＦと通信状態にあるＡＴ−コマンド・インターフェイス、ならびに前記ＡＴ−コマンド・インターフェイスおよびＭＩＨ−３ＧＬＩＮＫ−ＳＡＰ層と通信状態にあるＩＥＥＥ８０２．２１−ＡＴ  ＩＷＦを含むことを特徴とする請求項２１に記載のＷＴＲＵ。
【請求項２３】
前記ＡＴ−コマンド−３ＧＰＰ２  ＩＷＦは、３ＧＰＰ２サービス・プリミティブを受け取り、かつ前記ＡＴ−コマンド・インターフェイスと通信するように構成されることを特徴とする請求項２２に記載のＷＴＲＵ。
【請求項２４】
前記ＡＴ−コマンド・インターフェイスは、ＡＴコマンドを生成し、かつそれを前記８０２．２１−ＡＴ  ＩＷＦに通信するように構成されることを特徴とする請求項２３に記載のＷＴＲＵ。
【請求項２５】
前記８０２．２１−ＡＴ  ＩＷＦは、前記ＭＩＨ−３ＧＬＩＮＫ−ＳＡＰ層を通して、前記ＡＴコマンドを受け取り、かつ８０２．２１プリミティブを生成するように構成されることを特徴とする請求項２４に記載のＷＴＲＵ。
【請求項２６】
前記ＡＴ−コマンド・インターフェイスは、前記８０２．２１−ＡＴ  ＩＷＦからＡＴコマンドを受け取るように構成されることを特徴とする請求項２３に記載のＷＴＲＵ。
【請求項２７】
ネットワーク間ハンドオーバーを容易にするように構成されるＩＣ（Ｉｎｔｅｇｒａｔｅｄ  Ｃｉｒｃｕｉｔ：集積回路）であって、
受信機と、
送信機と、
前記受信機および前記送信機と通信状態にあるプロセッサーであって、第１のネットワーク・サービス・プリミティブを受け取り、かつ前記第１のネットワーク・サービス・プリミティブを第２のネットワーク・サービス・プリミティブにマッピングするように構成されるプロセッサーと
を備えることを特徴とするＩＣ。
【請求項２８】
ＭＩＨ機能が、前記第１のネットワーク・サービス・プリミティブを前記第２のネットワーク・サービス・プリミティブにマッピングすることを特徴とする請求項２７に記載のＩＣ。
【請求項２９】
前記プロセッサーは、ＭＩＨイベントをトリガーするようにさらに構成されることを特徴とする請求項２７に記載のＩＣ。
【請求項３０】
前記プロセッサー中に常駐しているＭＮＳ（Ｍｏｂｉｌｅ  Ｎｅｔｗｏｒｋ  Ｓｉｇｎａｌｉｎｇ：移動体ネットワーク信号方式）層をさらに備えることを特徴とする請求項２７に記載のＩＣ。
【請求項３１】
前記ＭＮＳ層は、ＡＴ−コマンド−３ＧＰＰ  ＩＷＦ（ＩｎｔｅｒＷｏｒｋｉｎｇ  Ｆｕｎｃｔｉｏｎ）、前記ＡＴ−コマンド−３ＧＰＰ  ＩＷＦと通信状態にあるＡＴ−コマンド・インターフェイス、ならびに前記ＡＴ−コマンド・インターフェイスおよびＭＩＨ−３ＧＬＩＮＫ−ＳＡＰ層と通信状態にあるＩＥＥＥ８０２．２１−ＡＴ  ＩＷＦを含むことを特徴とする請求項３０に記載のＩＣ。
【請求項３２】
前記ＡＴ−コマンド−３ＧＰＰ  ＩＷＦは、３ＧＰＰサービス・プリミティブを受け取り、かつ前記ＡＴ−コマンド・インターフェイスと通信するように構成されることを特徴とする請求項３１に記載のＩＣ。
【請求項３３】
前記ＡＴ−コマンド・インターフェイスは、ＡＴコマンドを生成し、かつそれを前記８０２．２１−ＡＴ  ＩＷＦに通信するように構成されることを特徴とする請求項３２に記載のＩＣ。
【請求項３４】
前記８０２．２１−ＡＴ  ＩＷＦは、前記ＭＩＨ−３ＧＬＩＮＫ−ＳＡＰ層を通して、前記ＡＴコマンドを受け取り、かつ８０２．２１プリミティブを生成するように構成されることを特徴とする請求項３３に記載のＩＣ。
【請求項３５】
前記ＡＴ−コマンド・インターフェイスは、前記８０２．２１−ＡＴ  ＩＷＦからＡＴコマンドを受け取るように構成されることを特徴とする請求項３２に記載のＩＣ。
【請求項３６】
上位層信号方式／ＰＰＰ（Ｐｏｉｎｔ  ｔｏ  Ｐｏｉｎｔ  Ｐｒｏｔｏｃｏｌ：ポイント・ツー・ポイント・プロトコル）層をさらに備えることを特徴とする請求項２７に記載のＩＣ。
【請求項３７】
前記上位層信号方式／ＰＰＰ層は、ＡＴ−コマンド−３ＧＰＰ２  ＩＷＦ、前記ＡＴ−コマンド−３ＧＰＰ２  ＩＷＦと通信状態にあるＡＴ−コマンド・インターフェイス、ならびに前記ＡＴ−コマンド・インターフェイスおよびＭＩＨ−３ＧＬＩＮＫ−ＳＡＰ層と通信状態にあるＩＥＥＥ８０２．２１−ＡＴ  ＩＷＦを含むことを特徴とする請求項３６に記載のＩＣ。
【請求項３８】
前記ＡＴ−コマンド−３ＧＰＰ２  ＩＷＦは、３ＧＰＰ２サービス・プリミティブを受け取り、かつ前記ＡＴ−コマンド・インターフェイスと通信するように構成されることを特徴とする請求項３７に記載のＩＣ。
【請求項３９】
前記ＡＴ−コマンド・インターフェイスは、ＡＴコマンドを生成し、かつそれを前記８０２．２１−ＡＴ  ＩＷＦに通信するように構成されることを特徴とする請求項３８に記載のＩＣ。
【請求項４０】
前記８０２．２１−ＡＴ  ＩＷＦは、前記ＭＩＨ−３ＧＬＩＮＫ−ＳＡＰ層を通して、前記ＡＴコマンドを受け取り、かつ８０２．２１プリミティブを生成するように構成されることを特徴とする請求項３９に記載のＩＣ。
【請求項４１】
前記ＡＴ−コマンド・インターフェイスは、前記８０２．２１−ＡＴ  ＩＷＦからＡＴコマンドを受け取るように構成されることを特徴とする請求項３８に記載のＩＣ。
【請求項４２】
ネットワーク間ハンドオーバーを容易にするように構成されるＷＴＲＵであって、
受信機と、
送信機と、
前記受信機および前記送信機と通信状態にあり、ＭＩＨ機能を含むプロセッサーであって、前記ＭＩＨ機能が、３ＧＰＰサービス・プリミティブを受け取り、かつ前記３ＧＰＰサービス・プリミティブをＩＥＥＥ８０２．２１プリミティブにマッピングするように構成されるプロセッサーと
を備えることを特徴とするＷＴＲＵ。
【請求項４３】
ネットワーク間ハンドオーバーを容易にするように構成されるＷＴＲＵであって、
受信機と、
送信機と、
前記受信機および前記送信機と通信状態にあり、ＭＩＨ機能を含むプロセッサーであって、前記ＭＩＨ機能が、３ＧＰＰ２サービス・プリミティブを受け取り、かつ前記３ＧＰＰ２サービス・プリミティブをＩＥＥＥ８０２．２１プリミティブにマッピングするように構成されるプロセッサーと
を備えることを特徴とするＷＴＲＵ。
【発明の詳細な説明】
【技術分野】
【０００１】
本発明は無線通信システムに関する。より詳細には、本発明はネットワーク間ハンドオーバーを容易にするための方法および装置に関する。
【背景技術】
【０００２】
ＩＥＥＥ８０２．２１グループは、システム間ハンドオーバーの実行および管理を支援する機構および手順を含む。ＩＥＥＥ８０２．２１は特に、ハンドオーバー動作の管理ならびにシステム発見およびシステム選択を支援するためにＭＭ（Ｍｏｂｉｌｉｔｙ  Ｍａｎａｇｅｍｅｎｔ：移動性管理）アプリケーションがアクセスすることが可能な３つの主要サービスを定義する。これらのサービスの中には、ＥＳ（Ｅｖｅｎｔ  Ｓｅｒｖｉｃｅ：イベント・サービス）、ＩＳ（Ｉｎｆｏｒｍａｔｉｏｎ  Ｓｅｒｖｉｃｅ：情報サービス）、およびＣＳ（Ｃｏｍｍａｎｄ  Ｓｅｒｖｉｃｅ：コマンド・サービス）がある。これらのすべてのサービスは、コア・ネットワークに関する通信を支援する基盤となるアクセス技術にかかわらず、予期されるユーザーに関して共通的な一定のインターフェイスを使用して、それらを配信する重要な特性を共有する。
【０００３】
イベント・サービスの配信およびコマンドの発生は、基盤となる技術の一般的な特性に基づき、何れのイベントがトリガーされるかに依り通常決定される。これらの基盤となる技術は、３ＧＰＰ、３ＧＰＰ２、およびＩＥＥＥ準拠のＷＬＡＮ（Ｗｉｒｅｌｅｓｓ  Ｌｏｃａｌ  Ａｒｅａ  Ｎｅｔｗｏｒｋ：無線ローカル・エリア・ネットワーク）（例えば、ＩＥＥＥ８０２．１１または８０２．１６）である場合がある。
【発明の概要】
【発明が解決しようとする課題】
【０００４】
ＩＥＥＥ８０２．２１仕様は、上位層へ送出され、そこから受け取られる様々なトリガーおよびコマンドについてまとめたものである。しかしながらＩＥＥＥ８０２．２１仕様は、これらのイベントおよびコマンドが如何にトリガーされそして発生されるかを記述するものではない。３ＧＰＰまたは３ＧＰＰ２の基盤となる層により提供される情報に基づいても、上位層に向かってトリガーを生成するための何れの手順または機能性もない。特に、基盤となる物理資源が３ＧＰＰまたは３ＧＰＰ２技術に基づいている場合には、ＩＥＥＥ８０２．２１は、イベントおよびコマンドが如何にトリガーされそして発生されるかを記述してはいない。したがって、これらのトリガーを生成するための方法を提供することが望まれる。
【課題を解決するための手段】
【０００５】
本発明は、ネットワーク間ハンドオーバーを容易にするための方法および装置に関する。本方法は、第１のネットワーク・サービス・プリミティブを受け取るステップを備える。第１のネットワーク・サービス・プリミティブは次に第２のネットワーク・サービス・プリミティブにマッピングされる。
【図面の簡単な説明】
【０００６】
例として与えられかつ添付された図面に関連して理解されるべき好適な実施形態の以下の記述から、本発明のより詳細な理解を得ることができる。
【図１】本発明によって構成される、ＷＴＲＵ（Ｗｉｒｅｌｅｓｓ  Ｔｒａｎｓｍｉｔ／Ｒｅｃｅｉｖｅ  Ｕｎｉｔ：無線送受信ユニット）、ＡＰ（Ａｃｃｅｓｓ  Ｐｏｉｎｔ：アクセス・ポイント）、およびＷＬＡＮ（Ｗｉｒｅｌｅｓｓ  Ｌｏｃａｌ  Ａｒｅａ  Ｎｅｔｗｏｒｋ：無線ローカル・エリア・ネットワーク）ＡＰを含む代表的無線通信システムを示す図である。
【図２】図１の無線通信システムのＷＴＲＵおよびＡＰ／ＷＬＡＮ  ＡＰの機能的なブロック図である。
【図３】本発明によるマッピングモデルの機能的なブロック図である。
【図４】本発明によるネットワーク間ハンドオーバーを容易にするための方法に関するフロー図である。
【図５】本発明によるＩＥＥＥ８０２．２１コマンドおよびイベント・サービスの３ＧＰＰへのマッピングの例示的図式表示の図である。
【図６】本発明によるＩＥＥＥ８０２．２１コマンドおよびイベント・サービスの３ＧＰＰ２へのマッピングの例示的図式表示の図である。
【発明を実施するための形態】
【０００７】
用語「ＷＴＲＵ（Ｗｉｒｅｌｅｓｓ  Ｔｒａｎｓｍｉｔ／Ｒｅｃｅｉｖｅ  Ｕｎｉｔ：無線送受信ユニット）」は今後言及される場合、ＵＥ（Ｕｓｅｒ  Ｅｑｕｉｐｍｅｎｔ：ユーザー設備）、移動局、固定型または移動型の加入者ユニット、ページャー、携帯電話、ＰＤＡ（Ｐｅｒｓｏｎａｌ  Ｄｉｇｉｔａｌ  Ａｓｓｉｓｔａｎｔ：携帯情報端末）、コンピューター、または無線環境において動作する能力のある他の如何なる種別のユーザー装置をも含む。用語「基地局（ｂａｓｅ  ｓｔａｔｉｏｎ）」は今後言及されると、限定するものではなく、ノードＢ（Ｎｏｄｅ−Ｂ）、サイト制御装置、ＡＰ（Ａｃｃｅｓｓ  Ｐｏｉｎｔ：アクセス・ポイント）、または無線環境において動作する能力のある他の如何なる種別のインターフェイス装置をも含むが、これらには限定されない。
【０００８】
本発明は、ＩＥＥＥ８０２技術（例えば、８０２．１１基準、８０２．１１ａ、８０２．１１ｂ、８０２．１１ｇ、８０２．１１ｊ、８０２．１１ｎ、８０２．１６、および８０２．２１）、携帯電話規格（例えば３ＧＰＰまたは３ＧＰＰ２）、および他の標準化されたまたは独自仕様の無線技術（例えばＢｌｕｅｔｏｏｔｈ、ＨＩＰＥＲＬＡＮ／２、および同様のもの）を含む何れの無線通信システムにも適用可能であるが、これらには限定されない。
【０００９】
図１は、本発明によって構成されるＷＴＲＵ１１０、ＡＰ１２０、およびＷＬＡＮ  ＡＰ５３０を含む代表的無線通信システム１００を示す。好適な実施形態においては、ＷＬＡＮ  ＡＰ５３０はＷＬＡＮ５４０に接続される。図１に示されるように、ＷＴＲＵ１１０はＡＰ１２０と無線通信状態にあり、ＡＰ１２０は望ましくは３ＧＰＰ（３ｒｄ  Ｇｅｎｅｒａｔｉｏｎ  Ｐａｒｔｎｅｒｓｈｉｐ  Ｐｒｏｊｅｃｔ：第三世代パートナーシップ・プロジェクト）のアクセス・ポイントであり、そしてハンドオーバーの間にＷＬＡＮ  ＡＰ１３０へ遷移している。図１においては１つのＷＴＲＵ１１０、１つのＡＰ１２０、および１つのＷＬＡＮ  ＡＰ１３０のみが示されるが、無線通信システム１００においては無線のおよび有線の装置の何れの数および組み合わせをも含むことができることに注意するべきである。
【００１０】
図２は、図１の無線通信システム１００のＷＴＲＵ１１０およびＡＰ１２０／ＷＬＡＮ  ＡＰ１３０の機能的なブロック図２００である。図２に示すように、ＷＴＲＵ１１０はＡＰ１２０、ＷＬＡＮ  ＡＰ１３０、またはその両方と通信状態にあって、かつすべてが本発明に従ってネットワーク間ハンドオーバーを容易にするように構成される。本発明の好適な実施形態においては、ＷＴＲＵ１１０、ＡＰ１２０、およびＷＬＡＮ  ＡＰ１３０は、１つのネットワークからのイベントおよびコマンド（例えば３ＧＰＰシステムのプリミティブ）を別のネットワークにおけるイベントおよびコマンド（例えばＷＬＡＮネットワークにおけるプリミティブ）にマッピングするように構成される。
【００１１】
典型的なＷＴＲＵにおいて見出すことができる構成要素に加えて、ＷＴＲＵ１１０は、プロセッサー１１５、受信機１１６、送信機１１７、およびアンテナ１１８を含む。プロセッサー１１５は、本発明によりネットワーク間ハンドオーバーを容易にするように構成される。受信機１１６および送信機１１７は、プロセッサー１１５と通信状態にある。アンテナ１１８は受信機１１６および送信機１１７の両方と通信状態にあり、無線データの送信および受信を容易にする。
【００１２】
ＡＰ１２０は、典型的なＡＰにおいて見出すことができる構成要素に加えて、プロセッサー１２５、受信機１２６、送信機１２７、およびアンテナ１２８を含む。プロセッサー１１５は、本発明によりネットワーク間ハンドオーバーを容易にするように構成される。受信機１２６および送信機１２７は、プロセッサー１２５と通信状態にある。アンテナ１２８は受信機１２６および送信機１２７の両方と通信状態にあり、無線データの送信および受信を容易にする。
【００１３】
ＷＬＡＮ  ＡＰ１３０は同様に、典型的なＷＬＡＮ  ＡＰにおいて見出すことができる構成要素に加えて、プロセッサー１３５、受信機１３６、送信機１３７、およびアンテナ１３８を含む。プロセッサー１３５は、本発明によるネットワーク間ハンドオーバーを容易にするように構成される。受信機１３６および送信機１３７は、プロセッサー１３５と通信状態にある。アンテナ１３８は受信機１３６および送信機１３７の両方と通信状態にあり、無線データの送信および受信を容易にする。
【００１４】
図３は、本発明によるマッピングモデル３００の機能的なブロック図である。マッピングモデル３００は、ＧＥＲＡＮ（Ｇｌｏｂａｌ  Ｅｖｏｌｕｔｉｏｎ  Ｒａｄｉｏ  Ａｃｃｅｓｓ  Ｎｅｔｗｏｒｋ）３１０、ＵＭＴＳ（Ｕｎｉｖｅｒｓａｌ  Ｍｏｂｉｌｅ  ｔｅｌｅｃｏｍｍｕｎｉｃａｔｉｏｎｓ  Ｓｙｓｔｅｍ）３２０、およびＬＴＥ（Ｌｏｎｇ  Ｔｅｒｍ  Ｅｖｏｌｕｔｉｏｎ：長期進化版）システム３３０に対する移動体通信のｅｎｈａｎｃｅｄ  ｄａｔａ  ｒａｔｅ（データ高速化仕様）のための包括的なシステムを概略的に示す。ＧＥＲＡＮ３１０は、ＲＲ（Ｒａｄｉｏ  Ｒｅｓｏｕｒｃｅ：無線資源）プロトコル層３１１、ＬＬＣ（Ｌｏｇｉｃａｌ  Ｌｉｎｋ  Ｃｏｎｔｒｏｌ：論理リンク制御）プロトコル層３１２、ＧＭＭ（Ｇｅｎｅｒａｌ  ｐａｃｋｅｔ  ｒａｄｉｏ  ｓｅｒｖｉｃｅ  Ｍｏｂｉｌｉｔｙ  Ｍａｎａｇｅｍｅｎｔ：汎用パケット無線サービス移動性管理）プロトコル層３１３、およびＳＭ（Ｓｅｓｓｉｏｎ  Ｍａｎａｇｅｍｅｎｔ：セッション管理）層３１４を含む。ＵＭＴＳ３２０は、ＮＡＳ（Ｎｏｎ  Ａｃｃｅｓｓ  Ｓｔｒａｔｕｍ：非アクセス・ストレータム）層３２１およびＡＳ（Ａｃｃｅｓｓ  Ｓｔｒａｔｕｍ：アクセス・ストレータム）層３２２を含む。ＬＴＥシステム３３０は、Ｅ−ＵＴＲＡ／Ｅ−ＣＯＲＥ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ／Ｅｖｏｌｖｅｄ−ＣＯＲＥ）層３３１を含む。図３に示すように、ＧＥＲＡＮ３１０、ＵＭＴＳ３２０、およびＬＴＥ３３０中のイベントは、ＭＩＨ（Ｍｅｄｉａ  Ｉｎｄｅｐｅｎｄｅｎｔ  Ｈａｎｄｏｖｅｒ：媒体に独立なハンドオーバー）−３ＧＰＰ−ＳＡＰ（Ｓｅｒｖｉｃｅ  Ａｃｃｅｓｓ  Ｐｏｉｎｔ：サービス・アクセス・ポイント）層３４０の中にマッピングすることができる。このように特定の技術の中の層により支援される如何なる関連プリミティブも、他の層によって先に翻訳されることなく、８０２．２１技術の中の対応する相手先にマッピングすることができる。
【００１５】
さらに図３を参照すると、ＭＩＨ−３ＧＰＰ−ＳＡＰ３４０を通して、３ＧＰＰ技術中の異なった層の中のサービスにアクセスすることができる。サービスは、３ＧＰＰ仕様中で定義されるプリミティブを使用して配信され、そしてＭＩＨ機能中の対応する８０２．２１の相手先にマッピングされることが望ましい。あるいは３ＧＰＰプリミティブは、ＡＴコマンドの使用を通して、またはＡＰＩを使用してマッピングすることができる。
【００１６】
図４は、本発明によりネットワーク間ハンドオーバーを容易にするための方法４００のフロー図である。ステップ４１０において、３Ｇのサービス・プリミティブが受け取られる。３Ｇのサービス・プリミティブは次に、ＩＥＥＥ８０２．２１プリミティブまたはイベントにマッピングされる（ステップ４２０）。方法４００は、３Ｇサービス・プリミティブの８０２．２１プリミティブまたはイベントへのマッピングを表現しているが、マッピングがまた、逆方向にて発生する場合があること、およびプリミティブは、３Ｇサービス・プリミティブおよび８０２．２１プリミティブに限定されないことに注意するべきである。下の表１は、３ＧＰＰプリミティブの８０２．２１イベントへのマッピングを表現する代表的な表である。
【００１７】
【表１】
2009545237.tif 000003
【００１８】
【表２】
2009545237.tif 000004
【００１９】
【表３】
2009545237.tif 000005
【００２０】
【表４】
2009545237.tif 000006
【００２１】
図５は、本発明によるＩＥＥＥ８０２．２１コマンドおよびイベント・サービスの３ＧＰＰへのマッピングの代表的図式表示５００である。図５は、ＭＩＨユーザー５１０、ＭＩＨ機能層５２０、ＭＮＳ（Ｍｏｂｉｌｅ  Ｎｅｔｗｏｒｋ  Ｓｉｇｎａｌｉｎｇ：移動体ネットワーク信号方式）層５３０、および３ＧＰＰアクセス・ネットワーク５４０を示す。ＭＩＨ−ＳＡＰ層がＭＩＨユーザー５１０およびＭＩＨ機能層５２０の間に存在し、そしてＭＩＨ−３ＧＰＰ−ＳＡＰ層がＭＩＨ機能層５２０およびＭＮＳ層５３０の間に存在する。
【００２２】
ＭＮＳ層５３０は、ＭＩＨ−３ＧＬＩＮＫ−ＳＡＰ層、８０２．２１ＡＴ  ＩＷ（Ｉｎｔｅｒ−Ｗｏｒｋｉｎｇ）機能層、ＡＴ−コマンド・インターフェイス、およびＡＴ−コマンド−３ＧＰＰ  ＩＷＦ層を含む。図５に示されるように、３ＧＰＰプリミティブは、ＡＴ−コマンド・インターフェイス層と通信状態にありそしてＡＴコマンドを生成する、ＡＴ−コマンド−３ＧＰＰ  ＩＷＦ層にて受け取られる。ＡＴコマンドは、８０２．２１−ＡＴ  ＩＷＦ層により受け取られ、そこでＭＩＨ機能が期待するような３ＧＰＰプリミティブに翻訳することができる。あるいは、３ＧＰＰアクセス・ネットワーク５４０から３ＧＰＰプリミティブを直接受け取る場合がある。ＭＩＨ−３ＧＬＩＮＫ−ＳＡＰ層を通して３ＧＰＰプリミティブを受け取ると、ＭＩＨ機能５２０は、３ＧＰＰプリミティブを８０２．２１プリミティブにマッピングし、または変換する。さらにＭＩＨ機能は、ＭＩＨユーザー５１０に向かって対応する媒体に独立なプリミティブを生成することができる。逆に８０２．２１プリミティブは、同様の逆の処理によって３ＧＰＰプリミティブに変換される。したがって、３ＧＰＰ  ＡＰＩを実施する関数呼び出しの使用などにより、このように３ＧＰＰプリミティブを、ＡＴコマンドに翻訳するか、または３ＧＰＰアクセス・ネットワークに直接送ることができる。
【００２３】
図６は、本発明によるＩＥＥＥ８０２．２１コマンドおよびイベント・サービスの３ＧＰＰ２へのマッピングの代表的図式表示６００である。図６は、ＭＩＨユーザー６１０、ＭＩＨ機能層６２０、上位層信号方式／ＰＰＰ（Ｐｏｉｎｔ  ｔｏ  Ｐｏｉｎｔ  Ｐｒｏｔｏｃｏｌ：ポイント・ツー・ポイント・プロトコル）層６３０、および３ＧＰＰ２アクセス・ネットワーク６４０を示す。ＭＩＨ−ＳＡＰ層がＭＩＨユーザー６１０およびＭＩＨ機能層６２０の間に存在し、そしてＭＩＨ−３ＧＬＩＮＫ−ＳＡＰ層がＭＩＨ機能層６２０および上位層／ＰＰＰ層６３０の間に存在する。
【００２４】
上位層／ＰＰＰ層６３０は、ＭＩＨ−３ＧＬＩＮＫ−ＳＡＰ層、８０２．２１−ＡＴ  ＩＷ（Ｉｎｔｅｒ−Ｗｏｒｋｉｎｇ）機能層、ＡＴ−コマンド・インターフェイス、およびＡＴ−コマンド−３ＧＰＰ２  ＩＷＦ層を含む。図６に示されるように、３ＧＰＰ２プリミティブは、ＡＴ−コマンド・インターフェイス層と通信状態にありそしてＡＴコマンドを生成する、ＡＴ−コマンド−３ＧＰＰ２  ＩＷＦ層にて受け取られる。ＡＴコマンドは、８０２．２１−ＡＴ  ＩＷＦ層により受け取られ、そこでＭＩＨ機能が期待するような３ＧＰＰ２プリミティブに翻訳することができる。あるいは、３ＧＰＰ２アクセス・ネットワーク６４０から３ＧＰＰ２プリミティブを直接受け取ることができる。ＭＩＨ−３ＧＬＩＮＫ−ＳＡＰ層を通して３ＧＰＰ２プリミティブを受け取ると、ＭＩＨ機能６２０は、３ＧＰＰ２プリミティブを８０２．２１プリミティブにマッピングし、または変換する。さらにＭＩＨ機能は、ＭＩＨユーザー６１０に向かって対応する媒体に独立なプリミティブを生成することができる。逆に８０２．２１プリミティブは、同様の逆の処理によって３ＧＰＰ２プリミティブに変換される。したがって、３ＧＰＰ  ＡＰＩを実施する関数呼び出しの使用などにより、このように３ＧＰＰ２プリミティブを、ＡＴコマンドに翻訳するか、または３ＧＰＰ２アクセス・ネットワークに直接送ることができる。
【００２５】
本発明の特徴および要素が好適な実施形態において特定の組み合わせにおいて記述されているが、それぞれの特徴または要素は、好適な実施形態の他の特徴および要素なしで単独で、または本発明の他の特徴および要素のあるなしにかかわらず、様々な組み合わせで使用可能である。本発明において提供された方法またはフロー図は、汎用目的のコンピューターまたは処理装置による実行のための、コンピューターにて読み込み可能な記憶媒体で実体的に具現化されるコンピューター・プログラム、ソフトウェア、またはファームウェアにおいて実施することができる。コンピューターにて読み込み可能な記憶媒体の例としては、ＲＯＭ（Ｒｅａｄ  Ｏｎｌｙ  Ｍｅｍｏｒｙ：読み出し専用メモリー）、ＲＡＭ（Ｒａｎｄｏｍ  Ａｃｃｅｓｓ  Ｍｅｍｏｒｙ：ランダム・アクセス・メモリー）、レジスター、キャッシュ・メモリー、半導体記憶デバイス、内蔵ハード・ディスクおよび着脱可能ディスクなどの磁気媒体、磁気−光学媒体、ならびにＣＤ−ＲＯＭディスクおよびＤＶＤ（Ｄｉｇｉｔａｌ  Ｖｅｒｓａｔｉｌｅ  Ｄｉｓｋ：デジタル多用途ディスク）などの光学媒体が含まれる。
【００２６】
適切な処理装置の例としては、汎用目的処理装置、特定目的処理装置、従来の処理装置、ＤＳＰ（Ｄｉｇｉｔａｌ  Ｓｉｇｎａｌ  Ｐｒｏｃｅｓｓｏｒ：デジタル信号処理装置）、複数のマイクロ処理装置、ＤＳＰコアに関連付けられた１つまたは複数のマイクロ処理装置、制御装置、マイクロ制御装置、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）回路、他の何れかの種別のＩＣ（Ｉｎｔｅｇｒａｔｅｄ  Ｃｉｒｃｕｉｔ：集積回路）、および／または状態マシンが含まれる。
【００２７】
ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）、ＵＥ（Ｕｓｅｒ  Ｅｑｕｉｐｍｅｎｔ：ユーザー設備）、端末、基地局、ＲＮＣ（Ｒａｄｉｏ  Ｎｅｔｗｏｒｋ  Ｃｏｎｔｒｏｌｌｅｒ：無線ネットワーク制御装置）、または任意のホスト・コンピューターにおいて使用するための無線周波数送受信機を実施するために、ソフトウェアに関連付けられた処理装置を使用することができる。ＷＴＲＵは、ハードウェアおよび／またはソフトウェアにて実施され、カメラ、ビデオカメラ・モジュール、テレビ電話、スピーカーフォン、振動デバイス、スピーカー、マイクロホン、テレビ送受信機、ハンズフリー受話器、キーボード、ブルートゥース（Ｂｌｕｅｔｏｏｔｈ（登録商標））モジュール、ＦＭ（Ｆｒｅｑｕｅｎｃｙ  Ｍｏｄｕｌａｔｅｄ：周波数変調された）無線ユニット、ＬＣＤ（Ｌｉｑｕｉｄ  Ｃｒｙｓｔａｌ  Ｄｉｓｐｌａｙ：液晶）表示装置、ＯＬＥＤ（Ｏｒｇａｎｉｃ  Ｌｉｇｈｔ−Ｅｍｉｔｔｉｎｇ  Ｄｉｏｄｅ：有機発光ダイオード）表示ユニット、デジタル音楽プレーヤー、メディア・プレーヤー、テレビゲーム・プレーヤー・モジュール、インターネット・ブラウザー、および／または任意のＷＬＡＮ（Ｗｉｒｅｌｅｓｓ  Ｌｏｃａｌ  Ａｃｃｅｓｓ  Ｎｅｔｗｏｒｋ：無線ＬＡＮ）モジュールなどのモジュールと連動して使用することができる。
【００２８】
実施形態
１．ネットワーク間ハンドオーバーを容易にするための方法。
２．第１のネットワーク・サービス・プリミティブを受け取るステップをさらに備える実施形態１の方法。
３．第１のネットワーク・サービス・プリミティブを第２のネットワーク・サービス・プリミティブにマッピングするステップをさらに備える前の実施形態の何れかにおける方法。
４．第１のネットワーク・サービス・プリミティブは、３ＧＰＰ（３ｒｄ  Ｇｅｎｅｒａｔｉｏｎ  Ｐａｒｔｎｅｒｓｈｉｐ  Ｐｒｏｊｅｃｔ：第三世代パートナーシップ・プロジェクト）サービス・プリミティブであり、かつ第２のネットワーク・サービス・プリミティブは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．２１プリミティブである前の実施形態の何れかにおける方法。
５．ＭＩＨ（Ｍｅｄｉａ  Ｉｎｄｅｐｅｎｄｅｎｔ  Ｈａｎｄｏｖｅｒ：媒体に独立なハンドオーバー）機能が３ＧＰＰサービス・プリミティブをＩＥＥＥ８０２．２１プリミティブにマッピングする前の実施形態の何れかにおける方法。
６．３ＧＰＰサービス・プリミティブが、ＲＲ（Ｒａｄｉｏ  Ｒｅｓｏｕｒｃｅ：無線資源）サービス・プリミティブ、ＭＭ（Ｍｏｂｉｌｉｔｙ  Ｍａｎａｇｅｍｅｎｔ：移動性管理）サービス・プリミティブ、ＳＭ（Ｓｅｓｓｉｏｎ  Ｍａｎａｇｅｍｅｎｔ：セッション管理）サービス・プリミティブ、ＬＴＥ（Ｌｏｎｇ  Ｔｅｒｍ  Ｅｖｏｌｕｔｉｏｎ：長期進化版）サービス・プリミティブ、ＳＡＥ（Ｓｙｓｔｅｍ  Ａｒｃｈｉｔｅｃｔｕｒｅ：システム・アーキテクチャー）サービス・プリミティブ、ＬＬＣ（Ｌｏｇｉｃａｌ  Ｌｉｎｋ  Ｃｏｎｔｒｏｌ：論理リンク制御）サービス・プリミティブ、ＡＳ（Ａｃｃｅｓｓ  Ｓｔｒａｔｕｍ：アクセス・ストレータム）サービス・プリミティブ、および／またはＮＡＳ（Ｎｏｎ  Ａｃｃｅｓｓ  Ｓｔｒａｔｕｍ：非アクセス・ストレータム）サービス・プリミティブ、の内の何れか１つを含む前の実施形態の何れかにおける方法。
７．ＩＥＥＥ８０２．２１プリミティブをマッピングする際に、ＭＩＨ（Ｍｅｄｉａ  Ｉｎｄｅｐｅｎｄｅｎｔ  Ｈａｎｄｏｖｅｒ：媒体に独立なハンドオーバー）イベントをトリガーするステップをさらに備える前の実施形態の何れかにおける方法。
８．第１のネットワーク・サービス・プリミティブは３ＧＰＰ２サービス・プリミティブであり、かつ第２のネットワーク・サービス・プリミティブはＩＥＥＥ８０２．２１プリミティブである実施形態１〜３および５〜７の何れかにおける方法。
９．ＭＩＨ機能が、３ＧＰＰ２サービス・プリミティブをＩＥＥＥ８０２．２１プリミティブへマッピングする前の実施形態の何れかにおける方法。
１０．ＡＴコマンドが、前記マッピングするステップを実行するために使用される前の実施形態の何れかにおける方法。
１１．ＭＩＨ機能が、第１のサービス・プリミティブを第２のネットワーク・サービス・プリミティブにマッピングする前の実施形態の何れかにおける方法。
１２．前の実施形態の何れかにおける方法を実行するように構成されるＷＴＲＵ（Ｗｉｒｅｌｅｓｓ  Ｔｒａｎｓｍｉｔ  Ｒｅｃｅｉｖｅ  Ｕｎｉｔ：無線送受信ユニット）。
１３．受信機をさらに備える実施形態１２のＷＴＲＵ。
１４．送信機をさらに備える実施形態１２〜１３の何れかにおけるＷＴＲＵ。
１５．前記受信機および前記送信機と通信状態にあるプロセッサーをさらに備える実施形態１２〜１４の何れかにおけるＷＴＲＵ。
１６．プロセッサーが、第１のネットワーク・サービス・プリミティブを受け取り、かつ前記第１のネットワーク・サービス・プリミティブを第２のネットワーク・サービス・プリミティブにマッピングするように構成される実施形態１２〜１５の何れかにおけるＷＴＲＵ。
１７．プロセッサーが、ＭＩＨイベントをトリガーするようにさらに構成される実施形態１２〜１６の何れかにおけるＷＴＲＵ。
１８．プロセッサー中に、ＭＮＳ（Ｍｏｂｉｌｅ  Ｎｅｔｗｏｒｋ  Ｓｉｇｎａｌｉｎｇ：移動体ネットワーク信号方式）層が常駐していることをさらに備える実施形態１２〜１７の何れかにおけるＷＴＲＵ。
１９．ＭＮＳ層が、ＡＴ−コマンド−３ＧＰＰ  ＩＷＦ（ＩｎｔｅｒＷｏｒｋｉｎｇ  Ｆｕｎｃｔｉｏｎ）、前記ＡＴ−コマンド−３ＧＰＰ  ＩＷＦと通信状態にあるＡＴ−コマンド・インターフェイス、ならびに前記ＡＴ−コマンド・インターフェイスおよびＭＩＨ−３ＧＬＩＮＫ−ＳＡＰ層と通信状態にあるＩＥＥＥ８０２．２１−ＡＴ  ＩＷＦを含む実施形態１２〜１８の何れかにおけるＷＴＲＵ。
２０．ＡＴ−コマンド−３ＧＰＰ  ＩＷＦが、３ＧＰＰサービス・プリミティブを受け取り、かつＡＴ−コマンド・インターフェイスと通信するように構成される実施形態１２〜１９の何れかにおけるＷＴＲＵ。
２１．ＡＴ−コマンド・インターフェイスが、ＡＴコマンドを生成し、かつそれを８０２．２１−ＡＴ  ＩＷＦに通信するように構成される実施形態１２〜２０の何れかにおけるＷＴＲＵ。
２２．８０２．２１−ＡＴ  ＩＷＦがＭＩＨ−３ＧＬＩＮＫ−ＳＡＰ層を通して、ＡＴコマンドを受け取り、かつ８０２．２１プリミティブを生成するように構成される実施形態１２〜２１の何れかにおけるＷＴＲＵ。
２３．ＡＴ−コマンド・インターフェイスが、８０２．２１−ＡＴ  ＩＷＦからＡＴコマンドを受け取るように構成される実施形態１２〜２２の何れかにおけるＷＴＲＵ。
２４．上位層信号方式／ＰＰＰ（Ｐｏｉｎｔ  ｔｏ  Ｐｏｉｎｔ  Ｐｒｏｔｏｃｏｌ：ポイント・ツー・ポイント・プロトコル）層をさらに備える実施形態１２〜２３の何れかにおけるＷＴＲＵ。
２５．上位層信号方式／ＰＰＰ層が、ＡＴ−コマンド−３ＧＰＰ２  ＩＷＦ、前記ＡＴ−コマンド−３ＧＰＰ２  ＩＷＦと通信状態にあるＡＴ−コマンド・インターフェイス、ならびに前記ＡＴ−コマンド・インターフェイスおよびＭＩＨ−３ＧＬＩＮＫ−ＳＡＰ層と通信状態にあるＩＥＥＥ８０２．２１−ＡＴ  ＩＷＦを含む実施形態１２〜２４の何れかにおけるＷＴＲＵ。
２６．前記ＡＴ−コマンド−３ＧＰＰ２  ＩＷＦが、３ＧＰＰ２サービス・プリミティブを受け取り、かつ前記ＡＴ−コマンド・インターフェイスと通信するように構成される実施形態１２〜２５の何れかにおけるＷＴＲＵ。
２７．ＡＴ−コマンド・インターフェイスが、ＡＴコマンドを生成し、かつそれを８０２．２１−ＡＴ  ＩＷＦに通信するように構成される実施形態１２〜２６の何れかにおけるＷＴＲＵ。
２８．８０２．２１−ＡＴ  ＩＷＦがＭＩＨ−３ＧＬＩＮＫ−ＳＡＰ層を通して、ＡＴコマンドを受け取りかつ８０２．２１プリミティブを生成するように構成される実施形態１２〜２７の何れかにおけるＷＴＲＵ。
２９．ＡＴ−コマンド・インターフェイスが、８０２．２１−ＡＴ  ＩＷＦからＡＴコマンドを受け取るように構成される実施形態１２〜２８の何れかにおけるＷＴＲＵ。
３０．プロセッサーがＭＩＨ機能を含む実施形態１２〜２９の何れかにおけるＷＴＲＵ。
３１．ＭＩＨ機能が、３ＧＰＰまたは３ＧＰＰ２サービス・プリミティブを受け取り、かつ前記３ＧＰＰまたは３ＧＰＰ２サービス・プリミティブをＩＥＥＥ８０２．２１プリミティブにマッピングするように構成される実施形態１２〜３０の何れかにおけるＷＴＲＵ。
３２．実施形態１〜１１の何れかにおける方法を実行するように構成されるＩＣ（Ｉｎｔｅｇｒａｔｅｄ  Ｃｉｒｃｕｉｔ：集積回路）。
３３．受信機をさらに備える実施形態３２のＩＣ。
３４．送信機をさらに備える実施形態３２〜３３の何れかにおけるＩＣ。
３５．プロセッサーが前記受信機および前記送信機と通信状態にあることをさらに備える実施形態３２〜３４の何れかにおけるＩＣ。
３６．プロセッサーが、第１のネットワーク・サービス・プリミティブを受け取り、かつ前記第１のネットワーク・サービス・プリミティブを第２のネットワーク・サービス・プリミティブにマッピングするように構成される実施形態３２〜３５の何れかにおけるＩＣ。
３７．プロセッサーが、ＭＩＨイベントをトリガーするようにさらに構成される実施形態３２〜３６の何れかにおけるＩＣ。
３８．プロセッサー中に、ＭＮＳ（Ｍｏｂｉｌｅ  Ｎｅｔｗｏｒｋ  Ｓｉｇｎａｌｉｎｇ：移動体ネットワーク信号方式）層が常駐していることをさらに備える実施形態３２〜３７の何れかにおけるＩＣ。
３９．ＭＮＳ層が、ＡＴ−コマンド−３ＧＰＰ  ＩＷＦ（ＩｎｔｅｒＷｏｒｋｉｎｇ  Ｆｕｎｃｔｉｏｎ）、前記ＡＴ−コマンド−３ＧＰＰ  ＩＷＦと通信状態にあるＡＴ−コマンド・インターフェイス、ならびに前記ＡＴ−コマンド・インターフェイスおよびＭＩＨ−３ＧＬＩＮＫ−ＳＡＰ層と通信状態にあるＩＥＥＥ８０２．２１−ＡＴ  ＩＷＦを含む実施形態３２〜３８の何れかにおけるＩＣ。
４０．ＡＴ−コマンド−３ＧＰＰ  ＩＷＦが、３ＧＰＰサービス・プリミティブを受け取り、かつＡＴ−コマンド・インターフェイスと通信するように構成される実施形態３２〜３９の何れかにおけるＩＣ。
４１．ＡＴ−コマンド・インターフェイスが、ＡＴコマンドを生成し、かつそれを８０２．２１−ＡＴ  ＩＷＦに通信するように構成される実施形態３２〜４０の何れかにおけるＩＣ。
４２．８０２．２１−ＡＴ  ＩＷＦがＭＩＨ−３ＧＬＩＮＫ−ＳＡＰ層を通して、ＡＴコマンドを受け取り、かつ８０２．２１プリミティブを生成するように構成される実施形態３２〜４１の何れかにおけるＩＣ。
４３．ＡＴ−コマンド・インターフェイスが、８０２．２１−ＡＴ  ＩＷＦからＡＴコマンドを受け取るように構成される実施形態３２〜４２の何れかにおけるＩＣ。
４４．上位層信号方式／ＰＰＰ（Ｐｏｉｎｔ  ｔｏ  Ｐｏｉｎｔ  Ｐｒｏｔｏｃｏｌ：ポイント・ツー・ポイント・プロトコル）層をさらに備える実施形態３２〜４３の何れかにおけるＩＣ。
４５．上位層信号方式／ＰＰＰ層が、ＡＴ−コマンド−３ＧＰＰ２  ＩＷＦ、前記ＡＴ−コマンド−３ＧＰＰ２  ＩＷＦと通信状態にあるＡＴ−コマンド・インターフェイス、ならびに前記ＡＴ−コマンド・インターフェイスおよびＭＩＨ−３ＧＬＩＮＫ−ＳＡＰ層と通信状態にあるＩＥＥＥ８０２．２１−ＡＴ  ＩＷＦを含む実施形態３２〜４４の何れかにおけるＩＣ。
４６．前記ＡＴ−コマンド−３ＧＰＰ２  ＩＷＦが、３ＧＰＰ２サービス・プリミティブを受け取り、かつ前記ＡＴ−コマンド・インターフェイスと通信するように構成される実施形態３２〜４５の何れかにおけるＩＣ。
４７．ＡＴ−コマンド・インターフェイスが、ＡＴコマンドを生成し、かつそれを８０２．２１−ＡＴ  ＩＷＦに通信するように構成される実施形態３２〜４６の何れかにおけるＩＣ。
４８．８０２．２１−ＡＴ  ＩＷＦがＭＩＨ−３ＧＬＩＮＫ−ＳＡＰ層を通して、ＡＴコマンドを受け取りかつ８０２．２１プリミティブを生成するように構成される実施形態３２〜４７の何れかにおけるＩＣ。
４９．ＡＴ−コマンド・インターフェイスが、８０２．２１−ＡＴ  ＩＷＦからＡＴコマンドを受け取るように構成される実施形態３２〜４８の何れかにおけるＩＣ。
５０．プロセッサーがＭＩＨ機能を含む実施形態３２〜４９の何れかにおけるＩＣ。
５１．ＭＩＨ機能が、３ＧＰＰまたは３ＧＰＰ２サービス・プリミティブを受け取り、かつ前記３ＧＰＰまたは３ＧＰＰ２サービス・プリミティブをＩＥＥＥ８０２．２１プリミティブにマッピングするように構成される実施形態３２〜５０の何れかにおけるＩＣ。
【図１】
2009545237.tif 000007
【図２】
2009545237.tif 000008
【図３】
2009545237.tif 000009
【図４】
2009545237.tif 000010
【図５】
2009545237.tif 000011
【図６】
2009545237.tif 000012
【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
ネットワーク間ハンドオーバーを容易にするための方法であって、
第１のネットワーク・サービス・プリミティブを受け取るステップと、
前記第１のネットワーク・サービス・プリミティブをＡＴコマンドにマッピングするステップと、
前記ＡＴコマンドを上位層に通信するステップと
を備えることを特徴とする方法。
【請求項２】
前記第１のネットワーク・サービス・プリミティブは、３ＧＰＰ（３ｒｄ  Ｇｅｎｅｒａｔｉｏｎ  Ｐａｒｔｎｅｒｓｈｉｐ  Ｐｒｏｊｅｃｔ：第三世代パートナーシップ・プロジェクト）サービス・プリミティブであることを特徴とする請求項１に記載の方法。
【請求項３】
ＭＩＨ（Ｍｅｄｉａ  Ｉｎｄｅｐｅｎｄｅｎｔ  Ｈａｎｄｏｖｅｒ：媒体に独立なハンドオーバー）機能が前記３ＧＰＰサービス・プリミティブを前記ＡＴコマンドにマッピングすることを特徴とする請求項２に記載の方法。
【請求項４】
前記３ＧＰＰサービス・プリミティブは、ＲＲ（Ｒａｄｉｏ  Ｒｅｓｏｕｒｃｅ：無線資源）サービス・プリミティブ、ＭＭ（Ｍｏｂｉｌｉｔｙ  Ｍａｎａｇｅｍｅｎｔ：移動性管理）サービス・プリミティブ、ＳＭ（Ｓｅｓｓｉｏｎ  Ｍａｎａｇｅｍｅｎｔ：セッション管理）サービス・プリミティブ、ＬＴＥ（Ｌｏｎｇ  Ｔｅｒｍ  Ｅｖｏｌｕｔｉｏｎ：長期進化版）サービス・プリミティブ、ＳＡＥ（Ｓｙｓｔｅｍ  Ａｒｃｈｉｔｅｃｔｕｒｅ：システム・アーキテクチャー）サービス・プリミティブ、ＬＬＣ（Ｌｏｇｉｃａｌ  Ｌｉｎｋ  Ｃｏｎｔｒｏｌ：論理リンク制御）サービス・プリミティブ、ＡＳ（Ａｃｃｅｓｓ  Ｓｔｒａｔｕｍ：アクセス・ストレータム）サービス・プリミティブ、およびＮＡＳ（Ｎｏｎ  Ａｃｃｅｓｓ  Ｓｔｒａｔｕｍ：非アクセス・ストレータム）サービス・プリミティブ、の内の少なくとも１つを含むことを特徴とする請求項２に記載の方法。
【請求項５】
前記第１のネットワーク・サービス・プリミティブは３ＧＰＰ２サービス・プリミティブであることを特徴とする請求項１に記載の方法。
【請求項６】
ＭＩＨ機能が、前記３ＧＰＰ２サービス・プリミティブを前記ＡＴコマンドにマッピングすることを特徴とする請求項５に記載の方法。
【請求項７】
前記第１のネットワーク・サービス・プリミティブはＩＥＥＥ８０２．２１プリミティブであることを特徴とする請求項１に記載の方法。
【請求項８】
ネットワーク間ハンドオーバーを容易にするように構成されるＷＴＲＵ（Ｗｉｒｅｌｅｓｓ  Ｔｒａｎｓｍｉｔ  Ｒｅｃｅｉｖｅ  Ｕｎｉｔ：無線送受信ユニット）であって、
受信機と、
送信機と、
前記受信機および前記送信機と通信状態にあるプロセッサーであって、第１のネットワーク・サービス・プリミティブを受け取り、かつ前記第１のネットワーク・サービス・プリミティブをＡＴコマンドにマッピングするように構成されるプロセッサーと
を備えることを特徴とするＷＴＲＵ。
【請求項９】
ＭＩＨ機能が、前記第１のネットワーク・サービス・プリミティブを前記ＡＴコマンドにマッピングすることを特徴とする請求項８に記載のＷＴＲＵ。
【請求項１０】
前記プロセッサー中に常駐しているＭＮＳ（Ｍｏｂｉｌｅ  Ｎｅｔｗｏｒｋ  Ｓｉｇｎａｌｉｎｇ：移動体ネットワーク信号方式）層をさらに備えることを特徴とする請求項８に記載のＷＴＲＵ。
【請求項１１】
前記ＭＮＳ層は、ＡＴ−コマンド−３ＧＰＰ  ＩＷＦ（ＩｎｔｅｒＷｏｒｋｉｎｇ  Ｆｕｎｃｔｉｏｎ）、前記ＡＴ−コマンド−３ＧＰＰ  ＩＷＦと通信状態にあるＡＴ−コマンド・インターフェイス、ならびに前記ＡＴ−コマンド・インターフェイスおよびＭＩＨ−３ＧＬＩＮＫ−ＳＡＰ層と通信状態にある８０２．２１−ＡＴ  ＩＷＦを含むことを特徴とする請求項１０に記載のＷＴＲＵ。
【請求項１２】
前記ＡＴ−コマンド−３ＧＰＰ  ＩＷＦは、３ＧＰＰサービス・プリミティブを受け取り、かつ前記ＡＴ−コマンド・インターフェイスと通信するように構成されることを特徴とする請求項１１に記載のＷＴＲＵ。
【請求項１３】
前記ＡＴ−コマンド・インターフェイスは、ＡＴコマンドを生成し、かつ前記ＡＴコマンドを前記８０２．２１−ＡＴ  ＩＷＦに通信するように構成されることを特徴とする請求項１２に記載のＷＴＲＵ。
【請求項１４】
前記８０２．２１−ＡＴ  ＩＷＦは、前記ＭＩＨ−３ＧＬＩＮＫ−ＳＡＰ層を通して、前記ＡＴコマンドを受け取り、かつ８０２．２１プリミティブを生成するように構成されることを特徴とする請求項１３に記載のＷＴＲＵ。
【請求項１５】
前記ＡＴ−コマンド・インターフェイスは、前記８０２．２１−ＡＴ  ＩＷＦからＡＴコマンドを受け取るように構成されることを特徴とする請求項１２に記載のＷＴＲＵ。
【請求項１６】
上位層信号方式／ＰＰＰ（Ｐｏｉｎｔ  ｔｏ  Ｐｏｉｎｔ  Ｐｒｏｔｏｃｏｌ：ポイント・ツー・ポイント・プロトコル）層をさらに備えることを特徴とする請求項８に記載のＷＴＲＵ。
【請求項１７】
前記上位層信号方式／ＰＰＰ層は、ＡＴ−コマンド−３ＧＰＰ２  ＩＷＦ、前記ＡＴ−コマンド−３ＧＰＰ２  ＩＷＦと通信状態にあるＡＴ−コマンド・インターフェイス、ならびに前記ＡＴ−コマンド・インターフェイスおよびＭＩＨ−３ＧＬＩＮＫ−ＳＡＰ層と通信状態にある８０２．２１−ＡＴ  ＩＷＦを含むことを特徴とする請求項１６に記載のＷＴＲＵ。
【請求項１８】
前記ＡＴ−コマンド−３ＧＰＰ２  ＩＷＦは、３ＧＰＰ２サービス・プリミティブを受け取り、かつ前記ＡＴ−コマンド・インターフェイスと通信するように構成されることを特徴とする請求項１７に記載のＷＴＲＵ。
【請求項１９】
前記ＡＴ−コマンド・インターフェイスは、ＡＴコマンドを生成し、かつそれを前記８０２．２１−ＡＴ  ＩＷＦに通信するように構成されることを特徴とする請求項１８に記載のＷＴＲＵ。
【請求項２０】
前記８０２．２１−ＡＴ  ＩＷＦは、前記ＭＩＨ−３ＧＬＩＮＫ−ＳＡＰ層を通して、前記ＡＴコマンドを受け取り、かつ８０２．２１プリミティブを生成するように構成されることを特徴とする請求項１９に記載のＷＴＲＵ。
【請求項２１】
前記ＡＴ−コマンド・インターフェイスは、前記８０２．２１−ＡＴ  ＩＷＦから前記ＡＴコマンドを受け取るように構成されることを特徴とする請求項１８に記載のＷＴＲＵ。
【手続補正２】
【補正対象書類名】明細書
【補正対象項目名】００２２
【補正方法】変更
【補正の内容】
【００２２】
ＭＮＳ層５３０は、ＭＩＨ−３ＧＬＩＮＫ−ＳＡＰ層、８０２．２１ＡＴ  ＩＷ（Ｉｎｔｅｒ−Ｗｏｒｋｉｎｇ）機能層、ＡＴ−コマンド・インターフェイス、およびＡＴ−コマンド−３ＧＰＰ  ＩＷＦ層を含む。図５に示されるように、３ＧＰＰプリミティブは、ＡＴ−コマンド・インターフェイス層と通信状態にありそしてＡＴコマンドを生成する、ＡＴ−コマンド−３ＧＰＰ  ＩＷＦ層にて受け取られる。ＡＴコマンドは、８０２．２１−ＡＴ  ＩＷＦ層により受け取られ、そこでＭＩＨ機能が期待するような８０２．２１プリミティブに翻訳することができる。あるいは、３ＧＰＰアクセス・ネットワーク５４０から３ＧＰＰプリミティブを直接受け取る場合がある。ＭＩＨ−３ＧＬＩＮＫ−ＳＡＰ層を通して３ＧＰＰプリミティブを受け取ると、ＭＩＨ機能５２０は、３ＧＰＰプリミティブを８０２．２１プリミティブにマッピングし、または変換する。さらにＭＩＨ機能は、ＭＩＨユーザー５１０に向かって対応する媒体に独立なプリミティブを生成することができる。逆に８０２．２１プリミティブは、同様の逆の処理によって３ＧＰＰプリミティブに変換される。したがって、３ＧＰＰ  ＡＰＩを実施する関数呼び出しの使用などにより、このように３ＧＰＰプリミティブを、ＡＴコマンドに翻訳するか、または３ＧＰＰアクセス・ネットワークに直接送ることができる。
【手続補正３】
【補正対象書類名】明細書
【補正対象項目名】００２４
【補正方法】変更
【補正の内容】
【００２４】
上位層／ＰＰＰ層６３０は、ＭＩＨ−３ＧＬＩＮＫ−ＳＡＰ層、８０２．２１−ＡＴ  ＩＷ（Ｉｎｔｅｒ−Ｗｏｒｋｉｎｇ）機能層、ＡＴ−コマンド・インターフェイス、およびＡＴ−コマンド−３ＧＰＰ２  ＩＷＦ層を含む。図６に示されるように、３ＧＰＰ２プリミティブは、ＡＴ−コマンド・インターフェイス層と通信状態にありそしてＡＴコマンドを生成する、ＡＴ−コマンド−３ＧＰＰ２  ＩＷＦ層にて受け取られる。ＡＴコマンドは、８０２．２１−ＡＴ  ＩＷＦ層により受け取られ、そこでＭＩＨ機能が期待するような８０２．２１プリミティブに翻訳することができる。あるいは、３ＧＰＰ２アクセス・ネットワーク６４０から３ＧＰＰ２プリミティブを直接受け取ることができる。ＭＩＨ−３ＧＬＩＮＫ−ＳＡＰ層を通して３ＧＰＰ２プリミティブを受け取ると、ＭＩＨ機能６２０は、３ＧＰＰ２プリミティブを８０２．２１プリミティブにマッピングし、または変換する。さらにＭＩＨ機能は、ＭＩＨユーザー６１０に向かって対応する媒体に独立なプリミティブを生成することができる。逆に８０２．２１プリミティブは、同様の逆の処理によって３ＧＰＰ２プリミティブに変換される。したがって、３ＧＰＰ  ＡＰＩを実施する関数呼び出しの使用などにより、このように３ＧＰＰ２プリミティブを、ＡＴコマンドに翻訳するか、または３ＧＰＰ２アクセス・ネットワークに直接送ることができる。
【国際調査報告】
2009545237.tif 000013
2009545237.tif 000014
2009545237.tif 000015